(57)【要約】【課題】  縮合型シリコーン成分含有のシール材の使用時の作業時間が制約されるのを抑制し、シール材の保存性と取扱性を向上させ、しかも、シール材を効率的に利用することのできるエンボスキャリアテープを提供する。【解決手段】  樹脂により成形される帯形のエンボステープ１０と、このエンボステープ１０の表面に剥離可能に貼着される帯形の防湿カバーテープ２０とを備え、エンボステープ１０の長手方向に、縮合型シリコーン成分を含有したシール材３０用の収納エンボス１２を複数配列形成する。複数の収納エンボス１２にシール材３０をそれぞれ収納するので、シール材３０の使用の度に専用の防湿袋を破いて取り出す必要がなく、取扱性やハンドリング性を大幅に向上させることができる。【選択図】  図３
2020006975.tif 000002
【特許請求の範囲】
【請求項１】
樹脂により形成されるエンボステープと、このエンボステープに剥離可能に貼り着けられる防湿カバーテープとを含み、エンボステープに、縮合型シリコーン成分を含有したシール材用の収納エンボスが形成されることを特徴とするエンボスキャリアテープ。
【請求項２】
エンボステープと防湿カバーテープとがそれぞれ長尺の略帯形に形成され、エンボステープの長手方向に複数の収納エンボスが所定の間隔をおいて配列形成されており、エンボステープと防湿カバーテープとの貼着領域が、エンボステープの収納エンボスを包囲するよう形成される請求項１記載のエンボスキャリアテープ。
【請求項３】
エンボステープは、複数の異なる樹脂により二層以上の積層構造に形成されて防湿性を有する請求項１又は２記載のエンボスキャリアテープ。
【請求項４】
防湿カバーテープは、少なくともエンボステープに貼り着けられる貼着層と、この貼着層に積層される防湿層とを含み、平均厚さが１μｍ以上５００μｍ以下とされる請求項１、２、又は３記載のエンボスキャリアテープ。
【請求項５】
防湿カバーテープの貼着層が、複数の枠パターンを一列に並べ備えた略梯子形に形成され、枠パターンが収納エンボスを包囲する貼着領域に形成される請求項４記載のエンボスキャリアテープ。
【請求項６】
防湿カバーテープの透湿度が０．３ｇ／ｍ２・２４ｈｒ以上１０ｇ／ｍ２・２４ｈｒ以下とされる請求項１ないし５のいずれかに記載のエンボスキャリアテープ。
【請求項７】
防湿カバーテープのエンボステープからの剥離強度が０．０１Ｎ／５０ｍｍ以上１００Ｎ／５０ｍｍ以下である請求項１ないし６のいずれかに記載のエンボスキャリアテープ。
【発明の詳細な説明】
【技術分野】
【０００１】
本発明は、縮合型シリコーン成分を含有したシール材の収納、保管、搬送、輸送等に使用されるエンボスキャリアテープに関するものである。
【背景技術】
【０００２】
建築用のシール材には、様々なタイプがあるが、その一つとして、縮合型シリコーン成分を含有したシール材があげられる（特許文献１参照）。この縮合型シリコーン成分を含有したシール材は、優れた接着力、耐久性、耐候性、耐熱性等に特徴があり、利用の便宜を図る観点から、細長い紐形やシート形に成形され、その後、非透湿加工された専用の防湿袋に全体が収納され、取り扱われる。
【０００３】
このようなシール材を使用して水道管等の微細孔を補修したい場合には、先ず、専用の防湿袋を破き、この破いた専用の防湿袋からシール材を取り出して所定の大きさに加工し、その後、水道管等の微細孔にシール材を直接貼着し、密着・吸湿により硬化させれば、微細孔を確実に塞いで補修することができる。
【０００４】
ところで、縮合型シリコーン成分を含有したシール材は、水道管等の補修に使用されているが、近年、ＲＦＩＤタグ等の小型デバイスを各種物品（各種の工具や器具、事務用品、生活用品、足場のパイプ等の建築用品、工場の柱、自転車のパイプやホーク等）に取り付ける場合にも使用される。
【０００５】
例えば、所定の工具４０にＲＦＩＤタグ４１を取り付ける場合には図７に示すように、工具４０の一部にＲＦＩＤタグ４１を位置決め配置するとともに、専用の防湿袋を破き、この破いた専用の防湿袋からシール材３０を取り出して所定の大きさにカットし、工具４０の一部とＲＦＩＤタグ４１とにシール材３０を巻いて被包すれば、ＲＦＩＤタグ４１を取り付け、資産の管理や作業効率を向上させることができる。
【先行技術文献】
【特許文献】
【０００６】
【特許文献１】特開昭６０‐００８３６１号公報
【発明の概要】
【発明が解決しようとする課題】
【０００７】
従来における縮合型シリコーン成分含有のシール材３０は、以上のように専用の防湿袋を破いて取り出され、使用されるが、硬化するまでの間に使用を開始して使い切る必要があるので、使用者の作業時間が制約されることがある。
【０００８】
また、縮合型シリコーン成分含有のシール材３０を全て使い切ることができず、一部を残す場合には、残ったシール材３０を防湿袋に収納してヒートシールしたり、次回の使用を断念して廃棄することになる。
しかしながら、残ったシール材３０を防湿袋に収納してヒートシールする作業には、時間と手間がかかるので、保存性と取扱性に問題が生じる。さらに、残ったシール材３０の廃棄は、無駄となるので、シール材３０の効率的な利用に支障を来すこととなる。
【０００９】
本発明は上記に鑑みなされたもので、縮合型シリコーン成分含有のシール材を使用する場合に作業時間が制約されるのを抑制し、シール材の保存性と取扱性を向上させ、しかも、シール材を効率的に利用することのできるエンボスキャリアテープを提供することを目的としている。
【課題を解決するための手段】
【００１０】
本発明においては上記課題を解決するため、樹脂により形成されるエンボステープと、このエンボステープに剥離可能に貼り着けられる防湿カバーテープとを含み、エンボステープに、縮合型シリコーン成分を含有したシール材用の収納エンボスが形成されることを特徴としている。
【００１１】
なお、エンボステープと防湿カバーテープとがそれぞれ長尺の略帯形に形成され、エンボステープの長手方向に複数の収納エンボスが所定の間隔をおいて配列形成されており、エンボステープと防湿カバーテープとの貼着領域が、エンボステープの収納エンボスを包囲するよう形成されるようにすることができる。
また、エンボステープは、複数の異なる樹脂により二層以上の積層構造に形成されて防湿性を有することが好ましい。
【００１２】
また、エンボステープの両側部のうち、少なくとも一側部の長手方向に、複数の送り孔が所定の間隔をおいて配列形成されるようにすることができる。
また、防湿カバーテープは、少なくともエンボステープに貼り着けられる貼着層と、この貼着層に積層される防湿層とを含み、平均厚さが１μｍ以上５００μｍ以下とされることが好ましい。
【００１３】
また、防湿カバーテープの貼着層が、複数の枠パターンを一列に並べ備えた略梯子形に形成され、枠パターンが収納エンボスを包囲する貼着領域に形成されるようにすることができる。
また、防湿カバーテープの透湿度が０．３ｇ／ｍ２・２４ｈｒ以上１０ｇ／ｍ２・２４ｈｒ以下にされると良い。
さらに、防湿カバーテープのエンボステープからの剥離強度が０．０１Ｎ／５０ｍｍ以上１００Ｎ／５０ｍｍ以下であると良い。
【００１４】
ここで、特許請求の範囲におけるエンボステープは、必要に応じて透明性、絶縁性、導電性、色彩が付与される。このエンボステープは、防湿性を有するのであれば、既存のタイプを流用することが可能である。また、防湿カバーテープは、防湿性を有するのであれば、透明、不透明、半透明を特に問うものではない。この防湿カバーテープは、貼着層と必要数の防湿層とを含み、全体で二層構造、三層構造、四層構造、多層構造に形成される。防湿カバーテープの防湿層が複数の場合、複数の防湿層をそれぞれ異なる材料により形成することができる。
【００１５】
シール材は、小型デバイス（例えば、ＲＦＩＤタグや各種センサ等）を被覆可能な粘着性のシート形、あるいはテープ形に形成され、両面に被覆保護層がそれぞれ剥離可能に粘着される。このシール材は、収納エンボスに一枚あるいは複数枚（二枚、三枚、五枚等）が収納される。
【００１６】
本発明によれば、エンボステープの収納エンボスにシール材を収納するので、シール材の使用の度に専用の防湿袋を破いて取り出す必要がなく、取扱性やハンドリング性の向上に資することができる。また、必要に応じ、シール材を収納エンボスに再度収納して保護することができるので、シール材が硬化するまでの間に使用を開始して使い切る必要性に乏しく、使用する者の作業時間が制約されるのを防止することができる。
【発明の効果】
【００１７】
本発明によれば、縮合型シリコーン成分含有のシール材を使用する場合の作業時間が制約されるのを抑制することができるという効果がある。また、シール材の保存性と取扱性とを向上させたり、シール材を最後まで効率的に利用することが容易になるという効果がある。
【００１８】
請求項２記載の発明によれば、エンボスキャリアテープに複数のシール材を収納したり、保管することにより、複数のシール材を使用する場合の便宜を図ることができる。
また、エンボステープと防湿カバーテープの貼着領域が収納エンボスを囲むので、湿気や水蒸気等の揮発成分が収納エンボスの外部から内部に侵入するのを抑制することができ、収納エンボスに収納されたシール材の吸湿による硬化反応を抑制することができる。
【００１９】
請求項３記載の発明によれば、エンボステープが複数の異なる樹脂により二層以上に形成されるので、エンボステープの特性の拡充が期待できる。また、エンボステープが防湿性を有するので、湿気や水蒸気等の揮発成分がエンボステープを透過することにより、シール材が吸湿して硬化するのを抑制することができる。
【００２０】
請求項４記載の発明によれば、防湿カバーテープが、単層構造ではなく、少なくともエンボステープに貼り着けられる貼着層と、この貼着層に積層される防湿層とを含むので、防湿カバーテープの貼り着き機能と防湿機能とを共に向上させることが可能になる。また、防湿カバーテープの平均厚さが１μｍ以上５００μｍ以下なので、防湿カバーテープの製造時の取り扱いが容易となり、しかも、透湿度の低下が期待できる。加えて、防湿カバーテープの柔軟性を確保し、防湿カバーテープの容易な剥離が可能となる。
【００２１】
請求項５記載の発明によれば、エンボステープではなく、防湿カバーテープの貼着層に貼着領域を形成するので、エンボステープの構造の複雑化を抑制することができ、エンボステープの製造の迅速化や容易化が期待できる。
請求項６記載の発明によれば、防湿カバーテープの透湿度が０．３ｇ／ｍ２・２４ｈｒ以上１０ｇ／ｍ２・２４ｈｒ以下なので、シール材の吸湿による硬化反応を確実に抑制することが可能になる。
【００２２】
請求項７記載の発明によれば、防湿カバーテープのエンボステープからの剥離強度が０．０１Ｎ／５０ｍｍ以上１００Ｎ／５０ｍｍ以下なので、防湿カバーテープを手作業で簡単に引き剥がし、収納エンボスからシール材を取り出すことが可能になる。
【図面の簡単な説明】
【００２３】
【図１】本発明に係るエンボスキャリアテープの実施形態における巻取リールに巻回された状態を模式的に示す斜視説明図である。
【図２】本発明に係るエンボスキャリアテープの実施形態を模式的に示す平面説明図である。
【図３】本発明に係るエンボスキャリアテープの実施形態を模式的に示す断面端面図である。
【図４】本発明に係るエンボスキャリアテープの実施形態を模式的に示す断面側面図である。
【図５】本発明に係るエンボスキャリアテープの実施形態における防湿カバーテープを模式的に示す断面説明図である。
【図６】本発明に係るエンボスキャリアテープの実施形態におけるシール材を模式的に示す断面説明図である。
【図７】工具にＲＦＩＤタグを取り付けた状態を示す斜視説明図である。
【発明を実施するための形態】
【００２４】
以下、図面を参照して本発明の好ましい実施の形態を説明すると、本実施形態におけるエンボスキャリアテープは、図１ないし図６に示すように、巻取リール１に巻回される長尺のエンボステープ１０と、このエンボステープ１０に剥離可能に貼着される長尺の防湿カバーテープ２０とを備え、エンボステープ１０に防湿性が付与されて複数の収納エンボス１２が配列形成されており、この複数の収納エンボス１２に、縮合型シリコーン成分を含有したシール材３０がそれぞれ収納される。
【００２５】
エンボステープ１０は、所定の樹脂により図２の左右方向に伸びる可撓性の帯形に成形され、左右両側部の長手方向に、複数の送り孔１１がそれぞれ所定の間隔をおき一列に並べてパンチングされるとともに、各送り孔１１が平面円形に形成されており、複数の送り孔１１がエンボスキャリアテープの繰り出しに利用される。このエンボステープ１０は、防湿性等の機能性を向上させる観点から、複数の異なる樹脂により二層以上、好ましくは三層以上の積層構造に成形され、融点が１５℃以上１２０℃以下とされる。
【００２６】
エンボステープ１０の材料としては、特に限定されるものではないが、例えば防湿性，耐水性，耐溶剤性等に優れるポリ塩化ビニル樹脂、耐衝撃性や寸法安定性等に優れるポリエチレン樹脂、防湿性やガスバリア性に優れるポリ塩化ビニリデン樹脂、汎用性に優れるポリスチレン樹脂、成形性や加工性に優れるＡ‐ＰＥＴ樹脂、強度に優れるポリエチレンテレフタレート樹脂、耐薬品性に優れるポリプロピレン樹脂、機械的性質や成形性に優れるＡＢＳ樹脂、耐衝撃性や寸法安定性に優れるポリカーボネート樹脂等があげられる。これらの中では、ポリ塩化ビニル樹脂、ポリエチレン樹脂、及びポリ塩化ビニリデン樹脂の組み合わせが最適である。
【００２７】
エンボステープ１０の厚さは、特に限定されるものではないが、可撓性と強度とを両立させる観点から、０．１７ｍｍ以上０．５０ｍｍ以下、好ましくは０．２０ｍｍ以上０．４０ｍｍ以下、より好ましくは０．３０ｍｍ前後の薄さに設定される。また、エンボステープ１０の幅は、限定されるものではないが、例えば規格化された３２、４４、５６、７２ｍｍ等のサイズに設定される。エンボステープ１０の長さは、多数のシール材３０を収納・保管するため、５００ｍ以上、１４００ｍ以上、２０００ｍ以上とされる。
【００２８】
複数の収納エンボス１２は、図２に示すように、エンボステープ１０の中央部長手方向に所定の等間隔で配列形成される。各収納エンボス１２は、図３や図４に示すように、例えば底の浅い平面矩形のポケット形に凹み形成され、シール材３０を隙間を介して水平に収納する。この収納エンボス１２の大きさは、シール材３０の大きさに応じて変更されるが、例えば１８×２３×４ｍｍに成形される。
【００２９】
防湿カバーテープ２０は、図２ないし図５に示すように、少なくともエンボステープ１０の表面に密着される貼着層２１と、この貼着層２１に対向して積層される防湿層２４とを備えて図２の左右方向に伸びる可撓性の帯形に形成され、エンボステープ１０の表面に熱圧着されて複数の収納エンボス１２内のシール材３０を保護するとともに、エンボステープ１０の両側部の複数の送り孔１１を露出させるよう機能する。
【００３０】
防湿カバーテープ２０の貼着層２１は、特に制約されるものではないが、例えば熱圧着に好適な低密度ポリエチレンシート（ＬＤＰＥ、ＬＬＤＰＥ）、２軸延伸ポリプロピレン/無延伸ポリプロピレン（ＯＰＰ／ＣＰＰ）ラミネートフィルム等により形成される。この貼着層２１の材質や厚さは、必要とされる熱圧着力に応じ、変更される。
【００３１】
貼着層２１の少なくともエンボステープ１０表面に対する熱圧着面は、エンボステープ１０の長手方向に複数の枠パターン２２を一列に並べ備えた平面梯子形にパターン形成され、各枠パターン２２が収納エンボス１２の周囲を前後左右から包囲する熱圧着領域２３に形成される。この熱圧着領域２３は、エンボステープ１０の両側部、及び隣接する収納エンボス１２の間に熱圧着され、湿気や水蒸気等が収納エンボス１２の外部から内部に侵入するのを遮断し、シール材３０の吸湿に伴う硬化を防止するよう機能する。
【００３２】
防湿層２４は、収納エンボス１２内のシール材３０を湿気から保護するため、必要に応じ、単層構造に形成されたり、二層構造や多層構造（図５参照）に形成される。この防湿層２４の材料は、防湿性を有するのであれば、特に制約されるものではないが、例えば樹脂シート、ゴムシート、紙、不織布、ネット、発泡シート、アルミ箔、金属箔、又はこれらのラミネート体があげられる。防湿層２４が樹脂シートの場合には、ポリエチレン樹脂シート、ポリプロピレン樹脂シート、エチレン‐酢酸ビニル共重合体樹脂シート、エチレン‐ビニルアルコール共重合体樹脂シート、ポリエチレンテレフタレート樹脂シート等が採用される。
【００３３】
防湿層２４が不織布の場合には、セルロース系繊維、ポリプロピレン系繊維やポリエチレン系繊維等からなるポリオレフィン系繊維、ポリエステル系繊維、ポリアクリル系繊維、ナイロン系繊維、これらの樹脂の共重合物、変性物、これらを組み合わせた繊維等が採用される。これらの中では、セルロース系繊維が最適である。セルロース系繊維が採用される場合、綿、パルプ、麻等の他、パルプから得られるビスコースレーヨン、銅アンモニアレーヨン、溶剤紡糸されたレーヨンであるリオセル等が用いられる。
【００３４】
防湿層２４の両面のうち、少なくとも貼着層２１に積層される片面には、良好な防湿性を確保するため、シリコーン処理、長鎖アルキル処理、アルミ蒸着処理、フッ素処理等が選択的に施されるのが望ましい。これらの処理の中では、透湿抵抗に優れるアルミ蒸着処理が最適である。
【００３５】
このような防湿カバーテープ２０の具体例としては、図５に示すように、エンボステープ１０の表面に密着されるシーラントの貼着層２１、この貼着層２１に積層されるアルミ箔製の防湿層２４、及びこの防湿層２４に積層されるポリエチレンテレフタレート樹脂シート製の別の防湿層２４からなる三層構造の防湿カバーテープ２０があげられる。
【００３６】
防湿カバーテープ２０の平均厚さは、１μｍ以上５００μｍ以下、好ましくは５μｍ以上３００μｍ以下、より好ましくは１０μｍ以上１００μｍ以下、特に好ましくは２０ｍ以上８０μｍ以下が最適である。これは、防湿カバーテープ２０の平均厚さが１μｍ未満の場合には、製造時の取り扱いが困難になり、しかも、透湿度が高くなるからである。これに対し、防湿カバーテープ２０の平均厚さが５００μｍを越える場合には、防湿カバーテープ２０の柔軟性が低下し、防湿カバーテープ２０の剥離が困難になるからである。防湿カバーテープ２０の平均厚さは、ＪＩＳ  Ｋ  ７１３０に準拠して測定することができる。
【００３７】
防湿カバーテープ２０の透湿度は、０．３ｇ／ｍ２・２４ｈｒ以上１０ｇ／ｍ２・２４ｈｒ以下、好ましくは０．３ｇ／ｍ２・２４ｈｒ以上５．０ｇ／ｍ２・２４ｈｒ以下、より好ましくは０．４ｇ／ｍ２・２４ｈｒ以上４．０ｇ／ｍ２・２４ｈｒ以下が最適である。これは、防湿カバーテープ２０の透湿度が１０ｇ／ｍ２・２４ｈｒを越える場合には、シール材３０の吸湿による硬化反応を抑制することができないからである。防湿カバーテープ２０の透湿度は、ＪＩＳ  Ｚ  ０２０８カップ法に準拠して温度４０℃、相対湿度９０％の条件下で測定することができる。
【００３８】
防湿カバーテープ２０をエンボステープ１０の表面から剥離する際の強度、すなわち、防湿カバーテープ２０のエンボステープ１０表面からの剥離強度は、０．０１Ｎ／５０ｍｍ以上１００Ｎ／５０ｍｍ以下、好ましくは０．０１Ｎ／５０ｍｍ以上５０Ｎ／５０ｍｍ以下、より好ましくは０．１Ｎ／５０ｍｍ以上１０Ｎ／５０ｍｍ以下が良い。
【００３９】
これは、防湿カバーテープ２０の剥離強度の値が０．０１Ｎ／５０ｍｍ未満の場合には、エンボステープ１０と防湿カバーテープ２０との接着力が非常に弱くなり、エンボステープ１０から防湿カバーテープ２０が不用意に剥がれるおそれがあるという理由に基づく。逆に、防湿カバーテープ２０の剥離強度の値が１００Ｎ／５０ｍｍを越える場合には、接着力が過剰に強くなり、防湿カバーテープ２０を手作業で簡単に引き剥がすことが困難になるという理由に基づく。防湿カバーテープ２０の剥離強度は、ＪＩＳ  Ｋ  ６８５４‐１９９９に準拠して剥離速度３００ｍｍ／ｍｉｎ、剥離角度１８０°、測定幅５０ｍｍで測定することが可能である。
【００４０】
シール材３０は、図２ないし図４、図６に示すように、縮合型シリコーン成分の接着剤により平面矩形のシート形に成形され、表裏両面に被覆保護層３１がそれぞれ剥離可能に粘着されており、エンボステープ１０の収納エンボス１２に一枚あるいは複数枚が収納される。このシール材３０は、例えば厚さ２ｍｍ、幅２５ｍｍ、長さ５０ｍｍの大きさの透明に形成される。
【００４１】
シール材３０の物性は、例えばＪＩＳ  Ｋ  ６２４９  Ａタイプにより測定された硬度が４５デュロＡ、ＪＩＳ  Ｋ  ６２４９  ３号ダンベルにより測定された引張り強さが５．４ＭＰａ、ＪＩＳ  Ｋ  ６２４９  ３号ダンベルで測定された伸びが７３０％、ＪＩＳ  Ｋ  ６２４９  アングル型切り込み無しで測定された引裂き強度が１６Ｎ／ｍｍであるのが好ましい。このようなシール材３０としては、冷凍保存される常温硬化タイプのポリマエース[信越ポリマー株式会社製：製品名]があげられる。
【００４２】
各被覆保護層３１は、特に限定されるものではなく、所定の用紙、アルミ箔、樹脂シート、樹脂フィルム等が選択的に使用される。このような被覆保護層３１は、シール材３０の表裏両面にそれぞれ剥離可能に粘着された後、シール材３０と共に所定の大きさに加工される。
【００４３】
上記構成において、エンボスキャリアテープに複数のシール材３０を収納する場合には、巻取リール１にエンボスキャリアテープを巻き取りながらエンボステープ１０の複数の収納エンボス１２にシール材３０を順次収納するとともに、エンボステープ１０の表面に防湿カバーテープ２０を重ねて被覆し、エンボステープ１０の表面に防湿カバーテープ２０の熱圧着領域２３を熱圧着すれば、エンボスキャリアテープに複数のシール材３０を収納することができる。
【００４４】
この際、防湿カバーテープ２０の熱圧着領域２３が各収納エンボス１２の周囲を前後左右から隙間なく包囲するので、湿気が収納エンボス１２の外部から内部に侵入するのを遮断することができ、シール材３０の吸湿に伴う硬化を防止することができる。エンボスキャリアテープに複数のシール材３０を収納したら、巻取リール１毎冷凍保存し、シール材３０を使用するまで硬化を防ぐことが好ましい。
【００４５】
次に、所定の物品にＲＦＩＤタグ４１を取り付ける場合、例えば工具４０の一部にＲＦＩＤタグ４１を取り付ける場合には、先ず、巻取リール１からエンボスキャリアテープを所定の長さ分引き出し、エンボステープ１０の表面を被覆する防湿カバーテープ２０を少しずつ引き剥がし、収納エンボス１２からシール材３０を取り出して所定の大きさに加工する。
【００４６】
こうしてシール材３０を所定の大きさに加工したら、工具４０の一部にＲＦＩＤタグ４１を位置決め配置し、シール材３０の両面から被覆保護層３１をそれぞれ剥離し、工具４０の一部とＲＦＩＤタグ４１とをシール材３０で被包すれば、ＲＦＩＤタグ４１を装着することができる。この際、シール材３０を全て使い切ることができず、一部を残す場合には、残ったシール材３０を収納エンボス１２に収納し、エンボステープ１０の表面に防湿カバーテープ２０を重ねて被覆すれば、シール材３０を硬化させることなく、保管することができる。
【００４７】
上記によれば、エンボスキャリアテープに複数のシール材３０を収納するので、シール材３０の使用の度に専用の防湿袋を破いて取り出す必要が全くなく、取扱性やハンドリング性を大幅に向上させることができる。また、必要に応じ、シール材３０を収納エンボス１２に収納して有効に保護することができるので、シール材３０が硬化するまでの間に使用を開始して使い切る必要が全くなく、使用者の作業時間が制約されるのを防止することができる。
【００４８】
また、シール材３０の一部を残す場合、シール材３０を収納エンボス１２に収納して次の使用に備えることができるので、残ったシール材３０を防湿袋に収納してヒートシールする手間や作業を省くことができる。さらに、残ったシール材３０を廃棄する必要もないので、シール材３０の効率的な活用が大いに期待できる。
【００４９】
なお、上記実施形態では平板形のエンボステープ１０を示したが、何らこれに限定されるものではない。例えば、エンボステープ１０を、間隔をおいて相対向する左右一対のフランジ片と、この左右一対のフランジ片の間に架設されて複数の収納エンボス１２を支持する段差受片とを一体に備えた可撓性の長い帯形に形成しても良い。また、エンボステープ１０の一側部に複数の送り孔１１を一定の間隔をおき一列に並べてパンチングしても良い。また、収納エンボス１２の底部は、平坦でも良いが、上げ底でも良い。さらに、エンボステープ１０の表面に防湿カバーテープ２０を熱圧着しても良いが、着脱自在に粘着することも可能である。
【産業上の利用可能性】
【００５０】
本発明に係るエンボスキャリアテープは、医療、機械、電気、電子、建築、土木、事務用品、生活用品等の分野で使用される。
【符号の説明】
【００５１】
１        巻取リール
１０      エンボステープ
１２      収納エンボス
２０      防湿カバーテープ
２１      貼着層
２２      枠パターン
２３      熱圧着領域（貼着領域）
２４      防湿層
３０      シール材
３１      被覆保護層
４０      工具
４１      ＲＦＩＤタグ
【図１】
2020006975.tif 000003
【図２】
2020006975.tif 000004
【図３】
2020006975.tif 000005
【図４】
2020006975.tif 000006
【図５】
2020006975.tif 000007
【図６】
2020006975.tif 000008
【図７】
2020006975.tif 000009